(57)【要約】      （修正有）【課題】外衣と内衣とで伸縮性の異なる素材を使用する場合であっても、シワやツレが外衣の表面に顕著に現れることなく着用でき、かつ着用時の着づらさや洗濯時の絡まり等の問題も解消することが可能な女性用衣類を提供する。【解決手段】外衣１と、前記外衣１の内面の少なくとも一部に縫着して設けられた内衣２とから構成される女性用衣類であって、前記内衣２は、一対のカップ部を有するフロント部と、前記フロント部に対向して背中側に設けられ、前記フロント部の下部の左右縁に接合された背布部と、前記フロント部の上部の左右縁に接合されて肩方向に延び、前記背布部の左右の上端又は前記外衣１の左右の肩部１３に接合された一対の肩布部とから構成され、前記外衣１と前記内衣２とは異なる伸縮性を有する素材から構成されると共に、前記外衣１と前記内衣２とは互いの袖ぐり部において部分的に縫着されている。【選択図】図３
2014125695.tif 000002
【特許請求の範囲】
【請求項１】
前身頃及び後ろ身頃からなる身頃部の左右端に袖ぐり部が、前記身頃部の上端に襟ぐり部が設けられた外衣と、前記外衣の内面の少なくとも一部に縫着して設けられた内衣とから構成される女性用衣類であって、前記内衣は、一対のカップ部を有するフロント部と、前記フロント部に対向して背中側に設けられ、前記フロント部の下部の左右縁に接合された背布部と、前記フロント部の上部の左右縁に接合されて肩方向に延び、前記背布部の左右の上端又は前記外衣の左右の肩部に接合された一対の肩布部とから構成され、前記外衣と前記内衣とは異なる伸縮性を有する素材から構成されると共に、前記外衣と前記内衣とは互いの袖ぐり部において部分的に縫着されている、女性用衣類。
【請求項２】
前記内衣の肩布部及び／又は背布部は、伸縮性を有する素材から構成され、かつ、前記肩布部及び／又は背布部の少なくとも一部の表面においては、前記素材とは異なる種類の伸縮性を有する素材が更に重ねられて二重構造とされている、請求項１に記載の女性用衣類。
【請求項３】
前記内衣の前襟ぐり部、及び／又は、前記内衣の裾部に沿って、伸縮性を有するテープが設けられている、請求項１又は２に記載の女性用衣類。
【請求項４】
前記外衣と前記内衣とが、互いの前袖ぐり部及び／又は後ろ袖ぐり部において縫着され、かつ前記外衣の袖ぐり部全体の３０〜５０％が前記内衣と縫着されている、請求項１から３のいずれか１項に記載の女性用衣類。
【請求項５】
前記外衣と前記内衣とが、互いの前袖ぐり部又は後ろ袖ぐり部のいずれか一方において縫着され、かつ前記外衣の前袖ぐり部又は後ろ袖ぐり部の６０〜１００％が前記内衣と縫着されている、請求項１から４のいずれか１項に記載の女性用衣類。
【請求項６】
前記外衣と前記内衣とが、互いの袖ぐり下端部においては縫着されていない、請求項１から５のいずれか１項に記載の女性用衣類。
【発明の詳細な説明】
【技術分野】
【０００１】
本発明は、外衣とカップ部を有する内衣とが一体化された、Ｔシャツ、ポロシャツ、カットソー等の女性用衣類に関する。
【背景技術】
【０００２】
近年、キャミソールやタンクトップ等の外衣と、ブラジャーのカップ部分とを一体化させた女性用衣類が広く販売されている。このような衣類は、ブラジャーなしで着られるために着心地が楽であり、またブラジャーの肩ひもがずれて外衣から露出してしまうという、通常のブラジャー着用時に生じる問題も解消することができる（例えば、特許文献１参照）。
【０００３】
このような衣類として、例えば、タンクトップ等の外衣と、ブラジャーのカップ部を有する内衣とを、外衣と内衣とが同じ素材で、かつ同じ寸法となるように作製し、外衣と内衣とを、アームホール、肩、襟ぐり部分にて縫着させた衣類が知られている。このような衣類では、外衣と内衣とが同素材で形成されるために、外衣と内衣との伸縮性の違いによる着用時のシワ、ツレ等を生じないという利点がある。しかしながら、内衣には、バストの保形のために適度なホールド感のある伸縮性の高い素材を使用する必要があるために、これと同素材の外衣を合わせると、全体として体のラインの出るタイトなシルエットの衣類となり、一枚で着用して外出すること等には適さないという欠点があった。
【０００４】
また、外衣と内衣とを異なる素材で構成し、外衣には適度なゆとりをもたせて体のラインが出ないようにして、内衣には適度なホールド感をもたせてバストの保形を可能としたタイプの衣類も知られている。このような衣類では、外衣と内衣との伸縮性の違いから着用時のシワ、ツレ等が生じないよう、外衣と内衣とが、肩部分のみで縫着されていることが多い。しかしながら、このような衣類では外衣と内衣との縫着部分が少なく、着用時に腕を挿入する位置を間違えたり、体が入れにくいといった欠点があり、また洗濯の際に外衣と内衣がばらばらになり、絡まってしまうという欠点もあった。
【０００５】
また、外衣に対して内衣をベアトップ状（肩ひもの無い状態）とし、アームホールの下のみで外衣と内衣とを縫着した衣類も知られているが、このような衣類では内衣に肩ひも（ストラップ）が無く、胸周りだけで体にフィットさせるために、バストを持ち上げる効果が得られないという欠点があった。
【０００６】
ブラジャーのカップ部と外衣とが一体となったこのような衣類は、着心地の楽さ等から広く女性の支持を得ているが、外出着として着用することも可能な外衣のデザイン性や、着用時の着やすさ、洗濯した際の絡まり防止、バストの保形効果等の、様々な点において優れた衣類が更に望まれているのが現状である。
【先行技術文献】
【特許文献】
【０００７】
【特許文献１】特開２０００−１４４５０３号公報
【発明の概要】
【発明が解決しようとする課題】
【０００８】
本発明は、外衣とカップ部を有する内衣とを備えた従来の女性用衣類における上記のような問題点を解消することを課題とし、外衣と内衣とで伸縮性の異なる素材を使用する場合であっても、シワやツレが外衣の表面に顕著に現れることなく着用でき、かつ着用時の着づらさや洗濯時の絡まり等の問題も解消することが可能な、外衣とカップ部を有する内衣とを備えた女性用衣類を提供することを目的とする。
【課題を解決するための手段】
【０００９】
上記課題を解決するにあたり、本発明者らは鋭意検討を行った結果、特に袖ぐり部分における外衣と内衣との縫着に着目し、外衣と内衣とを縫着させる部位と縫着させない部位の双方を袖ぐり部分に適度に存在させることで、外衣と内衣とが伸縮性の異なる素材から構成される場合であっても、外衣にシワ、ツレ等の外観のひずみを生じさせることなく、一方で着用時の着づらさや洗濯時の絡まりも解消できることを見出し、本発明の完成に至った。
【００１０】
すなわち本発明は、前身頃及び後ろ身頃からなる身頃部の左右端に袖ぐり部が、前記身頃部の上端に襟ぐり部が設けられた外衣と、前記外衣の内面の少なくとも一部に縫着して設けられた内衣とから構成される女性用衣類であって、前記内衣は、一対のカップ部を有するフロント部と、前記フロント部に対向して背中側に設けられ、前記フロント部の下部の左右縁に接合された背布部と、前記フロント部の上部の左右縁に接合されて肩方向に延び、前記背布部の左右の上端又は前記外衣の左右の肩部に接合された一対の肩布部とから構成され、前記外衣と前記内衣とは異なる伸縮性を有する素材から構成されると共に、前記外衣と前記内衣とは互いの袖ぐり部において部分的に縫着されている、女性用衣類に関する。
【００１１】
前記内衣の肩布部及び／又は背布部は、伸縮性を有する素材から構成され、かつ、前記肩布部及び／又は背布部の少なくとも一部の表面においては、前記素材とは異なる種類の伸縮性を有する素材が更に重ねられて二重構造とされていることが好適である。また前記内衣の前襟ぐり部、及び／又は、前記内衣の裾部に沿って、伸縮性を有するテープが設けられていることが好適である。
【００１２】
前記外衣と前記内衣とは、互いの前袖ぐり部及び／又は後ろ袖ぐり部において縫着され、かつ前記外衣の袖ぐり部全体の３０〜５０％が前記内衣と縫着されていることが好適である。例えば、前記外衣と前記内衣とが、互いの前袖ぐり部又は後ろ袖ぐり部のいずれか一方において縫着され、かつ前記外衣の前袖ぐり部又は後ろ袖ぐり部の６０〜１００％が前記内衣と縫着された女性用衣類とすることができる。一方で、前記外衣と前記内衣とは、互いの袖ぐり下端部においては縫着されていないことが好適である。
【発明の効果】
【００１３】
本発明の女性用衣類は、外衣と内衣とが、互いの袖ぐり部において部分的に縫着され、かつ残りの袖ぐり部においては縫着されずに互いに遊離されているために、外衣と内衣とで伸縮性の異なる素材を使用する場合であっても、外衣に、内衣のひっぱり等によるシワやツレ等の外観の歪みが生じないようにすることが可能となる。そのため、内衣には適度に伸縮性をもたせ、体にフィットさせてバスト保形効果を生じることができる一方で、外衣にはデザイン上の制約がなく、例えば外衣を適度に体から離れたゆとりのあるデザインとすることができる。このような衣類は、外衣と内衣とが密着状態とならないため、着用した際にカップのラインや内衣の構造が外衣に顕著に現れず、外出着としても着用が可能である。また、外衣と内衣とは、袖ぐり部において部分的に縫着されて一体化されているために、肩のみで外衣と内衣とが縫着されているような従来製品と比べ、着用時に腕を挿入する部分を間違えることがなく、腕を袖に通し易く、また洗濯をしても絡まりにくいという利点もある。
【図面の簡単な説明】
【００１４】
【図１】本発明の女性用衣類の一例を示す正面図（Ａ）及び背面図（Ｂ）である。
【図２】内衣のみを抜き出した状態の正面図（Ａ）及び背面図（Ｂ）である。
【図３】後ろ袖ぐり部の一部において外衣と内衣とが縫着された、第１の形態の女性用衣類を裏返した状態の正面図（Ａ）及び背面図（Ｂ）である。縫着部位を分かり易くするために、外衣及び内衣をともに裏返した状態として示している。
【図４】前袖ぐり部の一部において外衣と内衣とが縫着された、第２の形態の女性用衣類を裏返した状態の正面図（Ａ）及び背面図（Ｂ）である。縫着部位を分かり易くするために、外衣及び内衣をともに裏返した状態として示している。
【図５】前袖ぐり部の一部から後ろ袖ぐり部の一部にかけて外衣と内衣とが縫着された、第３の形態の女性用衣類を裏返した状態の正面図（Ａ）及び背面図（Ｂ）である。縫着部位を分かり易くするために、外衣及び内衣をともに裏返した状態として示している。
【図６】前袖ぐり部の一部及び後ろ袖ぐり部の一部において外衣と内衣とが縫着された、第４の形態の女性用衣類を裏返した状態の正面図（Ａ）及び背面図（Ｂ）である。縫着部位を分かり易くするために、外衣及び内衣をともに裏返した状態として示している。
【図７】本発明の女性用衣類の使用状態の一例を示す図である。
【発明を実施するための形態】
【００１５】
以下、本発明の実施形態を、図面を参照して説明する。ただし、本発明はこれらの実施形態に限定されるものではない。
【００１６】
図１に、いわゆるＴシャツに適用した女性用衣類の正面図（Ａ）及び背面図（Ｂ）を示す。外衣１としてのＴシャツの内面に、カップ部を有する内衣２が設けられており、外衣１と内衣２とは、少なくとも互いの袖ぐり部の一部において縫着されている（図１において外衣１と内衣２との縫着部位は図示していない）。
【００１７】
外衣１は、前身頃１４ａ、後ろ身頃１４ｂ、及び袖部１５で構成され、身頃部１４の左右端の上部に袖ぐり部１１が、上端の中央部に襟ぐり部１２が設けられている。
【００１８】
外衣１には、衣服に使用され得る薄く柔らかい素材が使用され、中でも、体のラインが出過ぎないように内衣２に比べて伸縮性の低い素材が使用される。外衣１の素材としては、綿、麻、絹、ナイロン、ポリエステル、レーヨン、アクリル、毛、これらの混合素材からなる布帛や、ニット等が好適に用いられる。
【００１９】
なお、外衣１はＴシャツに限定されず、女性用衣類に広く適用が可能である。例えば、外衣１は、ポロシャツ、カットソー、キャミソール、タンクトップ、ワンピース、ブラウス、ニット等であってもよい。中でも、本発明によれば外衣１と内衣２との互いの袖ぐり部における縫着を部分的にすることにより、特に外衣１の袖部１５や後ろ身頃１４ｂの袖部分周辺に生じるシワやヒキツレを防止することができることから、外衣１としては、Ｔシャツ、ポロシャツ、カットソー、ワンピース、ブラウス、ニット等の袖付き衣類が好適である。
【００２０】
図２は、内衣２を説明するための図であり、図１に示した女性用衣類から内衣２のみを抜き出した状態の正面図（Ａ）及び背面図（Ｂ）を示す。（なお実際には、内衣２は、外衣１に部分的に縫着されているため、外衣１から取り外し可能なようには構成されていない。）
【００２１】
内衣２は、着用者の乳房を覆うように形成された左右一対のカップ部２４、及び、カップ部２４の下縁に接合されてカップ部２４を支持するカップ支持部２５からなるフロント部２６と、フロント部２６に対向して背中側に設けられ、フロント部２６の下部の左右縁に接合された背布部２８と、フロント部２６の上部の左右縁に接合して肩方向に延び、背布部２８の左右の上端又は外衣１の左右の肩部１３に接合された一対の肩布部２７とから構成される。なお、図２においては、内衣２の左右の肩布部２７の上端と背布部２８の左右の上端は肩部２３において接合されているが、内衣２は、左右の肩布部２７の上端と背布部２８の左右の上端とが肩部２３において接合されていない態様のものであってもよい。内衣２の左右の肩布部２７の上端と背布部２８の左右の上端とが肩部２３において接合されていない態様のものである場合には、内衣２の左右の肩布部２７の上端及び／又は背布部２８の左右の上端は、外衣１の左右の肩部１３の内面部分に直接縫着されることにより、外衣１に固定される。
【００２２】
左右の肩布部２７の外側縁から、背布部２８の上部の左右縁にかけての部分によって、内衣２の左右の袖ぐり部２１が形成される。また、カップ部２４の上縁によって構成されるフロント部２６の上縁から、左右の肩布部２７の内側縁にかけての部分によって、内衣２の前襟ぐり部２２ａが形成される。背布部２８の中央部の上端には内衣２の後ろ襟ぐり部２２ｂが設けられている。
【００２３】
内衣２のカップ部２４は、通常のブラジャーのカップ部と同様の形状、すなわちバストの隆起に沿うような立体形状とされている。またフロント部２６は、カップ部２４とカップ支持部２５とが一体化したモールドカップとして形成されている。フロント部２６には、通気性を良くし、着用者の快適さを向上させるために多数の小孔を有するウレタン生地が使用され、ウレタン生地の表面側にはスムース生地（ポリエステル１００％）が、着用者の肌に接する裏面側には吸水速乾メッシュ生地が重ねられて三層構造として構成されている。
【００２４】
内衣２の肩布部２７及び背布部２８には、外衣１とは異なる伸縮性を有する素材が使用される。特に、内衣２全体を適度に体にフィットさせるために、肩布部２７及び背布部２８には、外衣１に使用される素材よりも伸縮性の高い素材が使用される。具体的には、肩布部２７及び背布部２８には、綿、ポリエステル、ポリウレタン、ナイロン、アクリル、これらの混合素材等が好適に使用される。
【００２５】
肩布部２７は二重構造とされており、上記素材から構成される生地の表面側（着用時に外衣１に面する側）に、上記素材とは異なる種類の伸縮性素材、例えばパワーネット、伸縮性の強いメッシュ生地等が重ねられている。また、肩布部２７には、体のラインに沿うように立体裁断された布が使用されている。更に、フロント部２６の上縁から左右の肩布部２７の内側縁にかけての部分、すなわち内衣２の前襟ぐり部２２ａに沿った部分には、伸縮性の強いテープが設けられている。内衣２の袖ぐり部２１（肩布部２７の外側縁及び背布部２８の上部の左右縁に相当する部分）のうち、外衣１の袖ぐり部１１と縫着されていない部分にも、伸縮性の強いテープが設けられている。肩布部２７の周囲をこのような構造とすることで、内衣２の伸縮性を更に強め、カップ部分２４を上方向に引っ張る力を生じさせて、カップ部２４の高さを安定させて、バストを高い位置で保つことができる。
【００２６】
背布部２８も、少なくとも部分的に二重構造とされており、上記素材から構成される生地の表面側（着用時に外衣１に面する側）に、上記素材とは異なる種類の伸縮性素材、例えばパワーネット、伸縮性の強いメッシュ生地等が重ねられている。また、内衣２の裾部２９（フロント部２６の下縁及び背布部２８の下縁に相当する部分）には、伸縮性の強いテープ生地ゴムが設けられている。このような背布部２８及び裾部２９の構造とすることで、内衣２のカップ部２４をより体にフィットさせ、横方向に対しても、カップ部２４の位置を安定させて、バストを安定させることができる。
【００２７】
内衣２を上記のような構造とすることにより、内衣２全体に適度なフィット感を持たせつつ、カップを縦横の２方向から安定させてブラジャーと同等の機能を発揮させることができる。更に外衣１に縫着して着用した場合に、カップ部２４や内衣２全体のラインを外衣１に響かせることなく、すっきりとしたシルエットで着用することができる。
【００２８】
外衣１と内衣２とは、少なくとも、外衣１の袖ぐり部１１の一部と、それに対応する内衣２の袖ぐり部２１の一部とを互いに縫着することによって一体に組み付けられている。図３〜図６には、本発明の代表的な実施形態に係る女性用衣類を裏返した状態の正面図（Ａ）及び背面図（Ｂ）を示す。なお、内衣２は外衣１の内面に縫着されるため、外衣１と内衣２との袖ぐり部１１、２１における縫着部位は通常、衣類の正面及び背面からは確認されない。そのため、図３〜図６では、袖ぐり部１１、２１における縫着部位を分かり易くするために、衣類を外衣１、内衣２ともに裏返した状態として示している。図３〜図６では、外衣１と内衣２との縫着部位３を模式的に示し、遊離（非縫着）部位４とは区別して示している。なお、肩部１３、２３における外衣１と内衣２との縫着は任意であるため、図中には示していない。
【００２９】
図３には、第１の形態の女性用衣類を裏返した状態の正面図（Ａ）及び背面図（Ｂ）を示す。第１の形態では、外衣１の前袖ぐり部１１ａは、内衣２とは縫着されずに遊離されており、外衣１の後ろ袖ぐり部１１ｂのみにおいて、部分的に内衣２の後ろ袖ぐり部２１ｂの対応する部分と縫着されている。なお、本明細書中において、外衣１と内衣２との袖ぐり部１１、２１が「対応する（部分）」とは、通常、衣類を通常の着用時の状態（裏返さない状態）として、外衣１と内衣２とを互いの肩部１３、２３のラインで合わせた際に、互いの袖ぐり部１１、２１が最も近くなる部分を指すものとし、外衣１と内衣２との縫着状態が不自然とならないように適宜定められればよい。第１の形態では、具体的には、外衣１の後ろ袖ぐり部１１ｂのうち上方約８０％の部分が、内衣２の対応する後ろ袖ぐり部２１ｂと縫着されており（３）、外衣１の後ろ袖ぐり部１１ｂの残部（袖ぐり下端部１１ｃを含む下方約２０％の部分）、及び、前袖ぐり部１１ａは、内衣２とは縫着されずに互いに遊離されている（４）。外衣１と内衣２とは更に、外衣１の後ろ襟ぐり部１２ｂと内衣２の後ろ襟ぐり部２２ｂにおいても互いに縫着されている。第１の形態では、稼働の大きい後ろ側のみが独立して接合している事により、ツレや歪みが出にくい。また、袖ぐり下端部１１ｃの周辺を接合しない事で、外衣１と内衣２が別々の胸回りのサイズにとらわれる事の無いデザインに使用出来る。
【００３０】
図４には、第２の形態の女性用衣類を裏返した状態の正面図（Ａ）及び背面図（Ｂ）を示す。第２の形態では、外衣１の後ろ袖ぐり部１１ｂは、内衣２とは縫着されずに遊離されており、外衣１の前袖ぐり部１１ａのみにおいて、部分的に内衣２の前袖ぐり部２１ａの対応する部分と縫着されている。具体的には、外衣１の前袖ぐり部１１ａのうち上方約８０％の部分が、内衣２の対応する前袖ぐり部２１ａと縫着されており（３）、外衣１の前袖ぐり部１１ａの残部（袖ぐり下端部１１ｃを含む下方約２０％の部分）、及び後ろ袖ぐり部１１ｂは、内衣２とは縫着されずに遊離されている（４）。外衣１と内衣２とは更に、外衣１の後ろ襟ぐり部１２ｂと内衣２の後ろ襟ぐり部２２ｂにおいても互いに縫着されている。第２の形態では、稼働の大きい胸回りや、背中部分が接合されていないため、運動時にも外衣１が内衣２に引っ張られる事がない。また、袖ぐり下端部１１ｃの周辺を接合しない事で、外衣１と内衣２が別々の胸回りのサイズにとらわれる事の無いデザインに使用出来る。
【００３１】
図５には、第３の形態の女性用衣類を裏返した状態の正面図（Ａ）及び背面図（Ｂ）を示す（図は一部を省略している）。第３の形態では、前袖ぐり部１１ａ、２１ａの一部から後ろ袖ぐり部１１ｂ、２１ｂの一部にかけて外衣１と内衣２とが縫着されており、縫着部位３は肩部１３、２３をまたいで一続きとされている。具体的には、外衣１の前袖ぐり部１１ａ及び後ろ袖ぐり部１１ｂの、各々の上方約４０％の部分が、内衣２の対応する前袖ぐり部２１ａ及び後ろ袖ぐり部２１ｂと縫着されており（３）、袖ぐり下端部１１ｃ、２１ｃを含む袖ぐり部１１、２１の残部は縫着されずに遊離されている（４）。外衣１と内衣２とは更に、外衣１の後ろ襟ぐり部１２ｂと内衣２の後ろ襟ぐり部２２ｂにおいても互いに縫着されている。第３の形態では、袖ぐり下端部１１ｃの周辺をより広く接合しない事で、外衣１と内衣２が別々の胸回りのサイズにとらわれる事の無いデザインに使用出来る。
【００３２】
図６には、第４の形態の女性用衣類を裏返した状態の正面図（Ａ）及び背面図（Ｂ）を示す（図は一部を省略している）。第４の形態では、前袖ぐり部１１ａ、２１ａの一部及び後ろ袖ぐり部１１ｂ、２１ｂの一部において外衣１と内衣２とが縫着され、縫着部位３と遊離（非縫着）部位４とが交互に存在している。具体的には、外衣１の前袖ぐり部１１ａのうち中ほど約４０％の部分、及び、外衣１の後ろ袖ぐり部１１ｂのうち中ほど約４０％の部分が、それぞれ内衣２の対応する前袖ぐり部２１ａ及び後ろ袖ぐり部２１ｂと縫着されており（３）、袖ぐり下端部１１ｃ、２１ｃを含む袖ぐり部１１、２１の残部は縫着されずに遊離されている（４）。外衣１と内衣２とは更に、外衣１の後ろ襟ぐり部１２ｂと内衣２の後ろ襟ぐり部２２ｂにおいても互いに縫着されている。
【００３３】
図３〜図６（第１の形態〜第４の形態）ではいずれも、外衣１及び内衣２が、互いの袖ぐり部１１、２１の一部分と、互いの後ろ襟ぐり部１２ｂ、２２ｂとにおいて縫着されている。なお、上記したように、肩部１３、２３における外衣１と内衣２との縫着は任意である。ただし、内衣２が、肩部２３において左右の肩布部２７の上端と背布部２８の左右の上端とが接合されていない態様のものである場合には、左右の肩布部２７の上端及び／又は背布部２８の左右の上端が、外衣１の左右の肩部１３の内面に縫着され固定される。
【００３４】
上記した縫着部位以外では、外衣１と内衣２とは縫着されずに互いに遊離されており、特に内衣２の前襟ぐり部２２ａや、袖ぐり下端部２１ｃ（脇下）から裾部２９にかけての部分は外衣１から完全に遊離されて、ふらされた状態となっている。特に、外衣１と内衣２とは、袖ぐり下端部１１ｃ、２１ｃの周辺部分においては互いに縫着されていない。袖ぐり下端部１１ｃ、２１ｃ（アームホールの一番低い部分）は、身幅が一番広い位置となるため、当該部分において外衣１と内衣２とが縫着されると、内衣２を体にフィットさせた場合、外衣１のアームホールの一番下の部分も同様にフィットさせる必要が生じ、衣服全体が、脇部分のフィットしたデザインに限られるという制約が生じてしまう。一方で、袖ぐり下端部１１ｃ、２１ｃの周辺を縫着しないことにより、外衣１及び内衣２の各々の胸回り寸法にとらわれる必要がなくなるため、外衣１のデザイン上の制約が生じないという利点がある。
【００３５】
上記の第１の形態〜第４の形態はいずれも好適に使用できるが、中でも、第１の形態〜第３の形態の女性用衣類がより好適である。第１の形態〜第３の形態では、外衣１における袖ぐり部１１の中央部（袖ぐり上端部（袖ぐり部１１と肩部１３とが接する部分）と、袖ぐり下端部１１ｃとの中間点）付近において、内衣２の対応する部分と後ろのみで接合しているか（第１の形態）、前のみで接合しているか（第２の形態）、或いは前後いずれにおいても接合されていない（第３の形態）。袖ぐり部１１、２１の中央部は稼働の大きい胸回りの動きに影響され得る部分であるため、前後共に外衣１と内衣２とが接合されているよりも、いずれか一方、或いは前後双方において接合されていない方が、よりツレや歪みが生じにくい点で有利である。
【００３６】
本発明は上記の各実施形態に限定されるものではなく、本発明の所望の効果が得られる範囲内において、外衣１と内衣２との縫着部位や縫着の程度、外衣１及び内衣２の構造等を適宜に変更することができる。特に、袖ぐり部１１、２１における外衣１と内衣２の縫着の程度は適宜に調整することができ、外衣１の袖ぐり部１１の寸法（外衣１の前袖ぐり部１１ａと後ろ袖ぐり部１１ｂとを足し合わせた寸法）に対して、３０〜５０％の部分が内衣２の対応する袖ぐり部２１と縫着されていることが好適であり、３５〜４５％の部分が、内衣２の対応する袖ぐり部２１と縫着されていることがより好適である。
【００３７】
また、外衣１と内衣２とが、互いの前袖ぐり部１１ａ、２１ａ、又は、後ろ袖ぐり部１１ｂ、２１ｂのいずれか一方のみにおいて縫着されている態様では、外衣１の前袖ぐり部１１ａの寸法に対して、又は外衣１の後ろ袖ぐり部１１ｂの寸法に対して、６０〜１００％の部分が、内衣２の対応する前袖ぐり部２１ａ又は後ろ袖ぐり部２１ｂと縫着されていることが好適であり、７０〜９０％の部分が、内衣２の対応する前袖ぐり部２１ａ又は後ろ袖ぐり部２１ｂと縫着されていることがより好適であり、７５〜８５％の部分が、内衣２の対応する前袖ぐり部２１ａ又は後ろ袖ぐり部２１ｂと縫着されていることが更に好適である。
【００３８】
一方で、袖ぐり下端部１１ｃ、２１ｃの周辺部分における外衣１と内衣２との非縫着の程度も適宜に調整することができる。具体的には、外衣１の袖ぐり部１１の寸法に対して、袖ぐり下端部１１ｃを含む下方１０％以上の部分が、前後共に、内衣２の対応する袖ぐり部２１と縫着されていないことが好適であり、袖ぐり下端部１１ｃを含む下方２０％以上の部分が、前後共に、内衣２の対応する袖ぐり部２１と縫着されていないことがより好適である。なお、袖ぐり部１１、２１において前後が共に非縫着である割合の上限としては、外衣１の袖ぐり部１１の寸法に対して、６０％以下が好適であり、４０％以下がより好適である。
【００３９】
図７には、本発明の女性用衣類の使用態様の一例を示す。本発明の女性用衣類は、袖ぐり部１１、２１における外衣１と内衣２との縫着を一部分のみにとどめ、残部の袖ぐり部１１、２１においては外衣１と内衣２とを遊離させた（ふらした）状態のままとするために、外衣１の特に袖部１５において、伸縮性の強い内衣１に引っ張られることにより生じるシワやツレ等を防止することができる（図７において外衣１と内衣２との縫着部位は図示していない）。従来のブラジャー機能を外衣に一体化させた女性用衣類では、キャミソールやタンクトップ等の袖のないタイプのものが多かったが、本発明によれば上記のような袖部１５や後ろ身頃１４ｂの袖部分周辺のシワやツレといった問題が解消されるため、袖のあるタイプの外衣１であっても、ブラジャーのカップ部を有する内衣２と一体化させることが可能となる。
【００４０】
本発明の女性用衣類は、外衣１と内衣２とが互いの袖ぐり部１１、２１において、適度な割合で部分的に縫着され、かつ残りの袖ぐり部１１、２１においては外衣１と内衣２とが縫着されずに遊離されているために、外衣１と内衣２とで伸縮性の異なる素材を使用する場合であっても、外衣１に、内衣２のひっぱり等によるシワやツレ等の外観のひずみが生じない。そのため、内衣２には適度に伸縮性をもたせ、体にフィットさせてバスト保形効果を生じることができる一方で、外衣１は適度に体から離れたゆとりのあるデザインとすることができる。このような衣類は、外衣１と内衣２とが密着状態とならない為、着用した際にカップの外観や内衣２の構造が外衣１には顕著に現れず、そのため外出着としても着用することが可能である。また、内衣２に適度なフィット感があるため、運動をした場合でも内衣２が体からずれることがない。更に、外衣１と内衣２とが袖ぐり部１１、２１において適度な割合で縫着されて一体となっているために、肩のみで外衣１と内衣２とが縫着されている製品等と比べ、腕を袖に通し易く、洗濯をしても外衣１と内衣２とが絡まりにくいという利点もある。
【符号の説明】
【００４１】
１：外衣
２：内衣
３：外衣と内衣との縫着部分
４：外衣と内衣との遊離（非縫着）部分
１１：袖ぐり部（外衣）
１１ａ：前袖ぐり部（外衣）
１１ｂ：後ろ袖ぐり部（外衣）
１１ｃ：袖ぐり下端部（外衣）
１２：襟ぐり部（外衣）
１２ａ：前襟ぐり部（外衣）
１２ｂ：後ろ襟ぐり部（外衣）
１３：肩部（外衣）
１４：身頃部
１４ａ：前身頃
１４ｂ：後ろ身頃
１５：袖部
２１：袖ぐり部（内衣）
２１ａ：前袖ぐり部（内衣）
２１ｂ：後ろ袖ぐり部（内衣）
２１ｃ：袖ぐり下端部（内衣）
２２：襟ぐり部（内衣）
２２ａ：前襟ぐり部（内衣）
２２ｂ：後ろ襟ぐり部（内衣）
２３：肩部（内衣）
２４：カップ部
２５：カップ支持部
２６：フロント部
２７：肩布部
２８：背布部
２９：裾部
【図１】
2014125695.tif 000003
【図２】
2014125695.tif 000004
【図３】
2014125695.tif 000005
【図４】
2014125695.tif 000006
【図５】
2014125695.tif 000007
【図６】
2014125695.tif 000008
【図７】
2014125695.tif 000009